(57)【要約】      （修正有）【課題】放熱効率を改善し、面状で柔らかい光として発光できるＬＥＤ照明装置を提供する。【解決手段】非金属の白反射シート１１と、基板３２とＬＥＤの台座３とを含み、前記基板におけるＬＥＤ発光ダイオード２は非金属の白反射シート１１の反射面１１１へ光を投射し、光源反射の原理で、本来が点状且つ光源を直接反射する反射作用により、面状で且つ柔らかい光源にし、且つＬＥＤの台座の表面にアルミナ錯体の処理に行う。【選択図】図２
0003161672.tif 000002
【実用新案登録請求の範囲】
【請求項１】
内側に内へ凹む円弧状の反射面を有する非金属の白反射シートと、
非金属の白反射シートの反射面の前方に設置され、その上に非金属の白反射シートの反射面への方向に基板が設置されている台座と、
台座に設置され、その上にＬＥＤ発光ダイオードが装着されている基板と、
を含み、
ＬＥＤ発光ダイオードは、点灯の時の光線が非金属の白反射シートの反射面へ投射し、屈折作用を発生するＬＥＤ照明装置。
【請求項２】
前記台座に装着されているＬＥＤ発光ダイオードは１つ以上である請求項１に記載のＬＥＤ照明装置。
【請求項３】
前記非金属の白反射シートは円形構造である請求項１に記載のＬＥＤ照明装置。
【請求項４】
前記非金属の白反射シートは矩形構造である請求項１に記載のＬＥＤ照明装置。
【請求項５】
前記非金属の白反射シートは並列した長方形構造である請求項１に記載のＬＥＤ照明装置。
【請求項６】
前記台座はアルミ製である請求項１に記載のＬＥＤ照明装置。
【請求項７】
前記基板には穴が開設されている請求項１に記載のＬＥＤ照明装置。
【請求項８】
前記基板はネジ止め方式、係止方式、係合方式等の位置決め構造により台座に固定されている請求項１に記載のＬＥＤ照明装置。
【請求項９】
前記台座の表面にはアルミナ錯体が処理されている請求項６に記載のＬＥＤ照明装置。
【考案の詳細な説明】
【技術分野】
【０００１】
本考案はＬＥＤ照明装置に関し、特に、光源反射の原理で、本来が点状且つ直接の光源を反射の作用により、面状且つ柔らかい光源にし、且つＬＥＤの台座の表面にアルミナ錯体の処理に合わせ、放熱効率をさらに向上するＬＥＤ照明装置に関する。
【背景技術】
【０００２】
従来の照明装置は、光源として電球を用いるほかに、図1に示すように、ＬＥＤ発光ダイオード２を光源として台座３０に装着し、反射体１０の反射面１０１により直接照射するＬＥＤ照明装置か知られている。その発光ダイオードは電力消費量が少なく、体積が小さいなどの利点を有する。これによって、照明装置の体積を大幅に削減することができるため、広く使用されるようになった。
【０００３】
照明用のＬＥＤ照明装置は発展途上なので、解決しべき欠点がまだ若干ある。例えば、その点状光源が直接に照射するため、眩しい且つ柔らかくない光線２１が直接に目に入射し、これにより視覚の感覚がよくない。また、ＬＥＤ発光ダイオード２はそのＰＮ構造が放熱しにくく、また台座３０に装着されると、台座３０の体積を考慮しなければならず、従って、放熱問題の解決が求められている。
【考案の概要】
【考案が解決しようとする課題】
【０００４】
本考案は従来の技術の欠点に鑑み、その台座に設置されるＬＥＤ発光ダイオードが非金属の白反射シートの反射面へ光を投射し、光源反射の原理で、本来が点状且つ直接の光源を反射の作用により、面状且つ柔らかい光源にするＬＥＤ照明装置を提供することを主な目的とする。
【課題を解決するための手段】
【０００５】
上記した課題を達成するために、本考案に係るＬＥＤ照明装置は、
内へ凹む円弧状の反射面を有する非金属の白反射シートと、
台座に設置され、その上にＬＥＤ発光ダイオードが装着されている基板と、
非金属の白反射シートの反射面の前方に設置され、その上には反射面への方向に基板が装着されている台座と、
基板に設置される少なくとも１つの発光ダイオードとを備える。
【０００６】
好ましくは、前記台座が非金属の白反射シートの反射面の前方に設置される。
【０００７】
好ましくは、前記ＬＥＤ照明装置が個別な単体であってもよく、または複数個が並列されたものであってもよい。
【０００８】
好ましくは、前記ＬＥＤ照明装置が街灯、天井に埋め込むランプ、吊り下げ式ランプ、電気スタンド、懐中電灯などの光源であってもよい。
【０００９】
好ましくは、前記基板は、その表面に放熱効率をさらに向上するための穴が開設されてもよい。
【００１０】
好ましくは、前記台座がアルミ製であってもよい。
【００１１】
好ましくは、前記台座は、その表面にアルミナ錯体を処理することにより、その台座を多孔質体にし、放熱面積を増加し、放熱効率をさらに向上することができる。
【図面の簡単な説明】
【００１２】
【図１】従来のＬＥＤ照明ランプの構造の断面図である。
【図２】本考案の構造の模式図である。
【図３】本考案の構造図である。
【図４】本考案の構造の断面図である。
【図５】本考案の光源投射の模式図である。
【図６】本考案の実施形態の図である。
【図７】本考案の他の実施形態の図である。
【考案を実施するための形態】
【００１３】
以下、添付した図面を参照しながら、本考案の目的、構造及び効果について詳しく説明する。なお本考案は以降の実施例の記載に限定されるものではない。
【００１４】
まず、図２、図３及び図４を参照すると、本考案のＬＥＤ照明装置は、その内側に内へ凹む円弧状の反射面１１１を有する非金属の白反射シート１１と、ＬＥＤ発光ダイオード２と台座３とを備える。
【００１５】
台座３の上面には、非金属の白反射シート１１の反射面１１１へ向けて収容槽３３が設けられる。前記収容槽３３には位置決め構造３２１により基板３２が設けられ、基板３２にはＬＥＤ発光ダイオード２が装着されている。
【００１６】
基板３２には、放熱效果を向上するための穴３２０が形成されている。
【００１７】
位置決め構造３２１はネジ止め方式以外に、係止方式、係合方式等の位置決め構造であってもよい。
【００１８】
ＬＥＤ発光ダイオード２と台座３は非金属の白反射シート１１の反射面１１１の前方に設置され、台座３がＬＥＤ発光ダイオード２を適当な位置に位置させることができる。
【００１９】
少なくとも１つのＬＥＤ発光ダイオード２は基板３２に位置決めされて、台座３に設置されている。
【００２０】
本考案のＬＥＤ照明装置において、光源であるＬＥＤ発光ダイオード２は台座３に非金属の白反射シート１１の反射面１１１の方向に装着されている。
ＬＥＤ発光ダイオード２は１つ以上であればよい。
【００２１】
台座３は非金属の白反射シート１１の反射面１１１の前方に設置される。
【００２２】
図５を参照すると、前記台座３におけるＬＥＤ発光ダイオード２が点灯される時に、その光源の光線２１は非金属の白反射シート１１の反射面１１１へ投射し、反射面１１１の屈折作用で、本来が点状且つ直接の光源を反射の作用により、面状且つ柔らかい光源として変換される。そのため、照明装置としては快適且つ柔らかい視覚的感覚を与えることができる。
【００２３】
また、台座３は非金属の白反射シート１１の反射面１１１の前方に設置されているため、ＬＥＤ発光ダイオード２を点灯する時に伝導される熱の放熱効果は、従来のＬＥＤ照明装置より良好である。
【００２４】
また本考案には、台座３の表面にさらにアルミナ錯体３１を処理することによって、台座を多孔質体にして、放熱面積を増加して、放熱効率をさらに向上することができる。従って、ＬＥＤ発光ダイオード２の放熱に寄与することができる。
【００２５】
従って、本考案に係るＬＥＤ照明装置は、一般の照明装置として、図２に示すような長方形の照明装置であってもよく、或いは図６に示すような円形の照明装置であってもよい。又は、図７に示すような並列した長方形の照明装置であってもよい。
【００２６】
実用的には、口金や天井に取り付けられる埋め込み式ランプ、吊り下げ式ランプ、街灯、電気スタンドなどの光源の実装は柔らかい光源效果を得ることができる。
【００２７】
以上説明したように本考案に係るＬＥＤ照明装置は、光源の反射原理で以って本来が点状且つ直接の光源を反射作用により、面状且つ柔らかい光源にするとともに、且つ基板の表面に開設された穴と台座の表面におけるアルミナ錯体の処理によって台座を多孔質体に形成して、放熱面積を増加して放熱効率をさらに向上するようにしたＬＥＤ照明装置である。
【００２８】
本考案のＬＥＤ照明装置はその構造が簡単で、組立が便利で、製造コストが低く且つ軽いため、従来の照明装置の欠点を確実に改良し、効果を向上することができ、従って、本考案は特許性を持つ。
【００２９】
上記したものは本考案の好ましい実施形態に過ぎず、本考案の範囲を制限するものではなく、即ち、本考案の請求項に基づいて行われた均等な変更及び修正は依然として本考案の主旨に含まれ、且つ本考案の精神と範囲を逸脱しなく、本考案の更なる実施形態と見なされるべきである。
【符号の説明】
【００３０】
１０…反射体、１０１…反射面、１１…非金属の白反射シート、１１１…反射面、２…ＬＥＤ発光ダイオード、２１…光線、３…台座、３０…台座、３１…アルミナ錯体、３２…基板、３２０…穴、３２１…位置決め構造、３３…収容槽
【図１】
0003161672.tif 000003
【図２】
0003161672.tif 000004
【図３】
0003161672.tif 000005
【図４】
0003161672.tif 000006
【図５】
0003161672.tif 000007
【図６】
0003161672.tif 000008
【図７】
0003161672.tif 000009